(57)【要約】      （修正有）【課題】吸水層内に吸着された水分の滲みだしを解決できる防水股部の連結構造を有するパンツを提供することにある。【解決手段】パンツ本体３と、底部に防水層を有する吸水シート１の縦方向の端部とが２つの防水縁被覆部４によって縫合され、防水縁被覆部４の外側はパンツ本体３上に縫合され、防水縁被覆部４の内側の開口側は吸水シート１の端面と上、下両面の縁とを被覆し、防水縁被覆部４の外側縫合線４１と吸水シート１の端面との間に隔水間隔Ｈが設けられている。したがって、本発明に係るパンツの防水股部の連結構造によれば、防水縁被覆部４およびパンツ本体３の外側縫合線４１と吸水シート１の端面との間に隔水間隔が設けられているので、吸水シート１内の水分が外側の縫合箇所から漏れ出ることなく、パンツ本体３と連結した場合に発生する滲み出しの問題を解決できる。このため、尿失禁患者や老人、生理時の女性に理想的な介護衛生用品が得られる。【選択図】図１
2010242282.tif 000002
【特許請求の範囲】
【請求項１】
パンツ本体（３）と、底部に防水層を有する吸水シート（１）と、防水縁被覆部（４）とを有し、吸水シート（１）の縦方向の端部が２つの防水縁被覆部（４）によってパンツ本体（３）上にそれぞれ縫合されるパンツの防水股部の連結構造において、
前記防水縁被覆部（４）の外側はパンツ本体（３）上に縫合され、防水縁被覆部（４）の内側の開口側は吸水シート（１）の端面と上、下両面の縁とを被覆し、かつ、前記吸水シート（１）に縫合され、防水縁被覆部（４）の外側縫合線（４１）と吸水シート（１）の端面との間に隔水間隔Ｈが設けられていることを特徴とするパンツの防水股部の連結構造。
【請求項２】
前記防水縁被覆部（４）は接着後に外側がパンツ本体（３）上に縫合され、防水縁被覆部（４）の内側の開口側が吸水シート（１）の端面と上、下両面の縁とを被覆し、かつ、吸水シート（１）に縫合されたことを特徴とする請求項１に記載のパンツの防水股部の連結構造。
【請求項３】
前記防水縁被覆部（４）の１枚構造を有する外側はパンツ本体（３）上に縫合され、前記防水縁被覆部（４）の内側の開口側は吸水シート（１）の端面と上、下両面の縁とを被覆し、かつ、吸水シート（１）に縫合されたことを特徴とする請求項１に記載のパンツの防水股部の連結構造。
【請求項４】
前記防水縁被覆部（４）の下部に縁被覆部防水層（９）がさらに縫合されていることを特徴とする請求項１に記載のパンツの防水股部の連結構造。
【請求項５】
前記吸水シート（１）の上部に、縦方向に沿って吸水凸条部（１１）がさらに設けられていることを特徴とする請求項１に記載のパンツの防水股部の連結構造。
【請求項６】
前記防水シート（１）の上部に、縦方向に沿って吸水凸条部（１１）をさらに有し、かつ、吸水凸条部（１１）の両側が吸水シート（１）上に縫合されていることを特徴とする請求項１に記載のパンツの防水股部の連結構造。
【請求項７】
パンツ本体（３）と、底部に防水層を有する吸水シート（１）と、防水縁被覆部（４）とを有し、吸水シート（１）の縦方向の端部が２つの防水縁被覆部（４）によってパンツ本体（３）上にそれぞれ縫合されるパンツの防水股部の連結構造において、
前記防水縁被覆部（４）の下部に縫合され、かつ、外側（４ｂ）に位置する縁被覆部防水層（９）の外側（９ｂ）だけがパンツ本体（３）上に縫合される一方、防水縁被覆部（４）の内側（４ａ）の開口側は吸水シート（１）の端面と上、下両面の縁とを被覆し、かつ、前記縁被覆部防水層（９）の内側（９ａ）と共に前記吸水シート（１）に縫合され、防水縁被覆部（４）の外側縫合線（４１）と吸水シート（１）の端面との間に隔水間隔Ｈが設けられていることを特徴とするパンツの防水股部の連結構造。
【請求項８】
前記吸水シート（１）の両側にはさらに縦縁被覆部（２）が縫合され、左右の２つのフラップ（８）の内側が、縦縁被覆部（２）および吸水シート（１）の両側に縫合され、フラップ（８）の外側部の一方は表面、他方は裏面に互いに係合する面ファスナー（８１）がそれぞれ連結されていることを特徴とする請求項１に記載のパンツの防水股部の連結構造。
【請求項９】
前記吸水シート（１）の上部に脱臭消毒層（６）をさらに設け、かつ、脱臭消毒層（６）の上部に乾燥層（５）をさらに有することを特徴とする請求項１ないし８のいずれか１項に記載のパンツの防水股部の連結構造。
【請求項１０】
前記吸水シート（１）の底部の防水層に防水コーティング層（７）をさらに積層したことを特徴とする請求項１ないし９のいずれか１項に記載のパンツの防水股部の連結構造。
【請求項１１】
前記隔水間隔Ｈが１ｍｍないし２５ｍｍの間にあることを特徴とする請求項１ないし７，９，１０のいずれか１項に記載のパンツの防水股部の連結構造。
【発明の詳細な説明】
【技術分野】
【０００１】
本発明は、パンツの防水股部の連結構造に関し、下着の技術分野に属する。
【背景技術】
【０００２】
防水股部が設けられているパンツは、主に漏れ防止の機能を有し、尿失禁患者や老人、生理時の女性に理想的な介護衛生用品である。
一般に、パンツの防水股部は柔らかい防水層と高吸着性の吸水層とからなる構造を有し、吸水層は水分を迅速に吸収かつ拡散し、下部の防水層は水分が外に漏れるのを防止する。これと同時に、前記防水股部はより優れた通気快適性と洗浄性とを要求される。
【発明の概要】
【発明が解決しようとする課題】
【０００３】
しかしながら、防水股部において積層される吸水層および防水層の上下両端は、２つの防水縁被覆部によってパンツ内に直接縫合固定され、縫合後の針穴が吸水層、防水層および防水縁被覆部を貫通している。このため、吸水層内に吸着された水分の一部が前記針穴を通じて防水層および防水縁被覆部からパンツの外部に滲み出し、衣物を汚してしまうという問題点がある。
【０００４】
本発明は、滲み出しの問題点を解決できるパンツの防水股部の連結構造を提供することを課題とする。
【課題を解決するための手段】
【０００５】
本発明に係る前記課題を達成するために、本発明に係るパンツの防水股部の連結構造は、パンツ本体と、底部に防水層を有する吸水シートと、防水縁被覆部とを有し、吸水シートの縦方向の端部が２つの防水縁被覆部によってパンツ本体上にそれぞれ縫合されるパンツの防水股部の連結構造において、前記防水縁被覆部の外側はパンツ本体上に縫合され、防水縁被覆部の内側の開口側は吸水シートの端面と上、下両面の縁とを被覆し、かつ、前記吸水シートに縫合され、防水縁被覆部の外側縫合線と吸水シートの端面との間に隔水間隔Ｈを設けた構成としてある。
【発明の効果】
【０００６】
本発明では、吸水シートの縦方向の端部が、２つの防水縁被覆部の内側の開口側に縫合され、２つの防水縁被覆部の外側がパンツ本体上に縫合され、防水縁被覆部およびパンツ本体の外側縫合線と吸水シートの端面との間に隔水間隔が設けられている。このため、吸水シート内の水分が防水縁被覆部とパンツ本体とを縫合する外側縫合線の針穴から漏れ出ることがなく、滲み出しや漏れを防止できるという効果を達成する。
【図面の簡単な説明】
【０００７】
【図１】本発明における防水股部の斜視構造模式図。
【図２】本発明における防水股部からパンツ本体を取り除いた構造模式図。
【図３】図２のＡ−Ａ断面構造の模式図（その１）。
【図４】図２のＡ−Ａ断面構造の模式図（その２）。
【図５】図２のＡ−Ａ断面構造の模式図（その３）。
【図６】本発明の防水股部の他の構造模式図。
【図７】図６のＢ−Ｂ断面の拡大構造模式図。
【図８】図６のＣ−Ｃ断面の拡大構造模式図。
【図９】本発明の防水股部のさらなる斜視構造模式図。
【図１０】本発明の防水股部のさらなる構造模式図。
【図１１】図１０のＤ−Ｄ断面の拡大構造模式図。
【図１２】本発明の防水股部のまた他の斜視構造模式図。
【図１３】本発明の防水股部のまた他の構造模式図。
【図１４】図１３のＥ−Ｅ断面の拡大構造模式図。
【図１５】本発明の防水股部にフラップを加えた斜視構造模式図。
【図１６】本発明の防水股部にフラップを加えた構造模式図。
【図１７】図１７Ａ，１７Ｂは図４，図５で図示した断面構造の部分拡大模式図。
【図１８】図１７Ａ，１７Ｂで示した断面構造の応用例を示す部分拡大模式図。
【発明を実施するための形態】
【０００８】
以下、本発明の実施形態について添付図面を参照しながら説明する。
本発明に係るパンツの防水股部の連結構造は、パンツ本体３と、底部に防水層を有する吸水シート１とからなり、前記吸水シート１の縦方向両側に縦縁被覆部２を有する。前記吸水シート１には高分子吸水材料成分の高吸湿繊維を使用し、前記吸水シート１の底部には防水コーティング層または防水布を有し、前記縦縁被覆部２には防水布を使用している。
【０００９】
図１，図２に示すように、本発明の吸水シート１の縦方向の端部が、それぞれ２つの防水縁被覆部４によってパンツ本体３上に縫合されている。前記防水縁被覆部４も防水布を使用し、図１〜３に示すように、前記防水縁被覆部４は積層状である。そして、防水縁被覆部４の外側はパンツ本体３上に縫合され、防水縁被覆部４の内側の開口側は、吸水シート１の端面と上、下両面の縁とを被覆し、かつ、吸水シート１に縫合されている。これにより、防水縁被覆部４の外側縫合線４１（図１参照）と吸水シート１の端面との間に隔水間隔Ｈ（図３参照）が設けられている。
【００１０】
図４に示すように、本発明の防水縁被覆部４は折り重ねて一部を接着一体化した後、その外側がさらにパンツ本体３上に縫合される一方、防水縁被覆部４の内側の開口側が吸水シート１の端面と上、下両面の縁とを被覆し、かつ、吸水シート１に縫合されている。なお、前記防水縁被覆部４は、１枚構造のものを折り重ねて使用する場合について説明したが、別体の２枚の生地の一部を接着一体化して使用してもよいことは勿論である。
また、図５に示すように、前記防水縁被覆部４の外側は、織物、編み物、あるいは不織布構造を有する１枚構造であり、パンツ本体３上に縫合されている。一方、防水縁被覆部４の内側の開口側は吸水シート１の端面と上、下両面の縁とを被覆し、かつ、前記吸水シート１に縫合されている。このため、防水縁被覆部４の外側縫合線４１と吸水シート１の端面との間にはいずれも隔水間隔Ｈが設けられている。前記隔水間隔Ｈは、１ｍｍ〜２５ｍｍの間にあり、前記隔水間隔Ｈによって吸水シート１内の水分を防水縁被覆部４とパンツ本体３との縫合箇所から浸出できなくしている。さらに漏れを防止するために、図４、５に示すように、防水縁被覆部４の下部に、縁被覆部防水層９をさらに有し、前記縁被覆部防水層９の内側は防水縁被覆部４と共に吸水シート１の一端と縫合され、縁被覆部防水層９の外側は防水縁被覆部４と共にパンツ本体３上に縫合される。
【００１１】
前述の防水構造をより詳細に説明すると、図１７Ａ，１７Ｂに示すように、防水縁被覆部４は、その下部に縁被覆部防水層９を有する。そして、前記縁被覆部防水層９の内側９ａは防水縁被覆部４の内側４ａ，４ａと共に吸水シート１の一端に縫合糸１０で縫合されている。このため、縁被覆部防水層９全体を針孔が貫通しておらず、内側４ａを縫合する縫合糸１０が縁被覆部防水層９の表面から露出することがないので、漏れを効果的に防止できる。一方、前記縁被覆部防水層９の外側９ｂは防水縁被覆部４の外側４ｂと共にパンツ本体３上に縫合糸で縫合される。
なお、図１８に図示するように、前記縁被覆防水層９だけで防水縁被覆部４の外側４ｂを構成し、パンツ本体３上に外側９ｂ（４ｂ）を縫合糸で縫合してもよい。
【００１２】
本発明は、防水股部の快適性をさらに向上させるため、図６〜８に示すように、吸水シート１の上部に、脱臭消毒層６をさらに設けてもよく、前記脱臭消毒層６の上部に乾燥層５をさらに有していてもよい。乾燥層５、脱臭消毒層６および吸水シート１は積み重ねられた後、縫合固定され、あるいは、乾燥層５、脱臭消毒層６および吸水シート１は両側の縦縁被覆部２および防水縁被覆部４によって固定される。本発明では、吸水シート１の底部の防水層に防水コーティング層７がさらに積層されている。
【００１３】
図９〜１１に示すように、本発明は、吸水シート１の保水能力をさらに向上させるために、吸水シート１の上部に、縦方向に沿って吸水凸条部１１がさらに設けられる。前記吸水シート１の中間には吸水凸条部１１が対称に縫合されて形成され、前記吸水凸条部１１の両側は自由な状態を呈している。
【００１４】
また、図１２〜１４に示すように、前記吸水凸条部１１の両側が吸水シート１上に縫合され、多層構造を採用する場合に、吸水凸条部１１の上部も乾燥層５および脱臭消毒層６が設けられている。そして、前記吸水シート１の底部の防水層には防水コーティング層７がさらに積層されている。
【００１５】
図１５〜１６に示すように、本発明は、既存のパンツ（図示せず）の股部に吸水シート１だけを位置ズレしないように着脱可能に固定するための構造である。
すなわち、吸水シート１の両側にはさらに縦縁被覆部２が縫合され、左右の２つのフラップ８の内側が縦縁被覆部２および吸水シート１の両側に縫合されている。そして、前記フラップ８の外側部の一方は表面、他方は裏面に互いに係合する面ファスナー８１がそれぞれ連結されている。このため、使用時、フラップ８を底部の一側に向けて引っくり返し、かつ、面ファスナー８１を相互に接着させることにより、既存のパンツの股部に吸水シート１だけを位置ズレしないように着脱可能に固定できる。
【産業上の利用可能性】
【００１６】
本発明に係るパンツの防水股部の連結構造は前述のパンツに限らず、他のパンツに適用できることは勿論である。
【符号の説明】
【００１７】
１：吸水シート
２：縦縁被覆部
３：パンツ本体
４：防水縁被覆部
４ａ：内側
４ｂ：外側
４１：外側縫合線
５：乾燥層
６：脱臭消毒層
７：防水コーティング層
８：フラップ
８１：面ファスナー
９：縁被覆部防水層
９ａ：内側
９ｂ：外側
１０：縫合糸
【図１】
2010242282.tif 000003
【図２】
2010242282.tif 000004
【図３】
2010242282.tif 000005
【図４】
2010242282.tif 000006
【図５】
2010242282.tif 000007
【図６】
2010242282.tif 000008
【図７】
2010242282.tif 000009
【図８】
2010242282.tif 000010
【図９】
2010242282.tif 000011
【図１０】
2010242282.tif 000012
【図１１】
2010242282.tif 000013
【図１２】
2010242282.tif 000014
【図１３】
2010242282.tif 000015
【図１４】
2010242282.tif 000016
【図１５】
2010242282.tif 000017
【図１６】
2010242282.tif 000018
【図１７】
2010242282.tif 000019
【図１８】
2010242282.tif 000020